(57)【要約】【課題】複数の導光部が異なる長さに伸縮した場合であっても光源から導光部に入射される光量が低下しないようにすることを目的とする。【解決手段】照明装置の導光ユニット２０は、並列して配置される、第１の反射光用導光部２１ａと、第２の反射光用導光部２１ｂと、を有し、第１の反射光用導光部２１ａは、長手方向の一方側の入射面２３ａに反射光用光源５２ａが対面して配置され、第１の回路基板６０ａを結合すると共に第２の回路基板６０ｂを第１の反射光用導光部２１ａの長手方向に沿ってスライド可能に接続し、第２の反射光用導光部２１ｂは、長手方向の他方側の入射面２３ｂに反射光用光源５３ｂが対面して配置され、第２の回路基板６０ｂを結合すると共に第１の回路基板６０ａを第２の反射光用導光部２１ｂの長手方向に沿ってスライド可能に接続する。【選択図】図８
2016100633.tif 000002
【特許請求の範囲】
【請求項１】
第１の光源と、
第２の光源と、
前記第１の光源を実装する第１の回路基板と、
前記第２の光源を実装する第２の回路基板と、
長手方向の一方側に前記第１の回路基板が配置され、長手方向の他方側に前記第２の回路基板が配置され、前記第１の光源および前記第２の光源からの光を被照明体に導く導光ユニットと、を有する照明装置であって、
前記導光ユニットは、
並列して配置される、第１の導光部と、第２の導光部と、を有し、
前記第１の導光部は、長手方向の一方側の入射面に前記第１の光源が対面して配置され、前記第１の回路基板を結合すると共に前記第２の回路基板を前記第１の導光部の長手方向に沿ってスライド可能に接続し、
前記第２の導光部は、長手方向の他方側の入射面に前記第２の光源が対面して配置され、前記第１の回路基板および前記第２の回路基板のうち一方を結合すると共に他方を前記第２の導光部の長手方向に沿ってスライド可能に接続することを特徴とする照明装置。
【請求項２】
前記第１の導光部および前記第２の導光部はそれぞれ、
棒状であって、前記入射面および前記入射面から入射された光を前記被照明体に向かって出射する出射面が形成された導光体と、
前記導光体を長手方向に亘って保持する導光保持部材と、を有することを特徴とする請求項１に記載の照明装置。
【請求項３】
前記第１の導光部は、長手方向の他方側に前記第１の導光部の長手方向と平行に突出する案内突起を有し、
前記第２の回路基板は、前記案内突起が挿入される挿入孔を有し、
前記案内突起を前記挿入孔に挿入することで前記第２の回路基板が前記第１の導光部の長手方向に沿ってスライド可能に接続されることを特徴とする請求項１または２に記載の照明装置。
【請求項４】
前記第１の導光部は、長手方向の一方側に前記第１の導光部の長手方向と平行な結合突起を有し、
前記第１の回路基板は、前記結合突起が挿入される挿入孔を有し、
前記結合突起を前記挿入孔に挿入し、前記結合突起の先端をかしめることで、または、接着剤で固定されることで、前記第１の回路基板が前記第１の導光部に結合されることを特徴とする請求項１ないし３の何れか１項に記載の照明装置。
【請求項５】
前記第２の導光部は、長手方向の一方側または他方側に前記第２の導光部の長手方向と平行な案内突起を有し、
前記第１の回路基板および前記第２の回路基板のうち前記他方は、前記案内突起が挿入される挿入孔を有し、
前記案内突起を前記挿入孔に挿入することで前記他方が前記第２の導光部の長手方向に沿ってスライド可能に接続されることを特徴とする請求項１ないし４の何れか１項に記載の照明装置。
【請求項６】
前記第２の導光部は、長手方向の一方側または他方側に前記第２の導光部の長手方向と平行な結合突起を有し、
前記第１の回路基板および前記第２の回路基板のうち前記一方は、前記結合突起が挿入される挿入孔を有し、
前記結合突起を前記挿入孔に挿入し、前記結合突起の先端をかしめることで、または、接着剤で固定されることで、前記一方が前記第２の導光部に結合されることを特徴とする請求項１ないし５の何れか１項に記載の照明装置。
【請求項７】
前記第１の回路基板は、前記第１の光源と第４の光源が実装され、
前記第２の回路基板は、前記第２の光源と第３の光源が実装され、
前記第１の導光部は、長手方向の両端に前記入射面を有し、長手方向の一方側の前記入射面に前記第１の光源が対面して配置され、長手方向の他方側の前記入射面に前記第３の光源が対面して配置され、
前記第２の導光部は、長手方向の両端に前記入射面を有し、長手方向の他方側の前記入射面に前記第２の光源が対面して配置され、長手方向の一方側の前記入射面に前記第４の光源が対面して配置される
ことを特徴とする請求項１ないし６の何れか１項に記載の照明装置。
【請求項８】
第１の光源と、
第２の光源と、
第３の光源と、
第４の光源と、
前記第１の光源と第４の光源とを実装する第１の回路基板と、
前記第２の光源と第３の光源とを実装する第２の回路基板と、
長手方向の一方側に前記第１の回路基板が配置され、長手方向の他方側に前記第２の回路基板が配置され、前記第１の光源、前記第２の光源、前記第３の光源、および前記第４の光源からの光を被照明体に導く導光ユニットと、を有する照明装置であって、
前記導光ユニットは、
並列して配置される、第１の導光部と、第２の導光部と、を有し、
前記第１の導光部および前記第２の導光部はそれぞれ、棒状であって、入射面から入射された光を前記被照明体に向かって出射する出射面が形成された導光体と、前記導光体を長手方向に亘って保持する導光保持部材と、を有し、かつ、長手方向の一方側の入射面に前記第１の光源が対面して配置され、前記第１の回路基板を結合すると共に前記第２の回路基板を前記第１の導光部の長手方向に沿ってスライド可能に接続する
ことを特徴とする照明装置。
【請求項９】
前記第１の導光部と前記第２の導光部はそれぞれ、長手方向の他方側に長手方向と平行に突出する案内突起を有し、
前記第２の回路基板は、前記案内突起が挿入される挿入孔を有し、
前記案内突起を前記挿入孔に挿入することで前記第２の回路基板が長手方向に沿ってスライド可能に接続されることを特徴とする請求項８に記載の照明装置。
【請求項１０】
前記第１の導光部と前記第２の導光部はそれぞれ、長手方向の一方側に長手方向と平行な結合突起を有し、
前記第１の回路基板は、前記結合突起が挿入される挿入孔を有し、
前記結合突起を前記挿入孔に挿入し、前記結合突起の先端をかしめることで、または、接着剤で固定されることで、前記第１の回路基板が前記第１の導光部および前記第２の導光部に結合されることを特徴とする請求項８または９に記載の照明装置。
【請求項１１】
前記第１の光源と前記第４の光源のうち、一方が紫外光の発光波長を発光し、他方が紫外光を含まない発光波長を発光し、
前記第２の光源と前記第３の光源のうち、一方が紫外光の発光波長を発光し、他方が紫外光を含まない発光波長を発光する
ことを特徴とする請求項７ないし１０の何れか１項に記載の照明装置。
【請求項１２】
請求項１ないし１１の何れか１項に記載の照明装置と、
前記被照明体からの光を電気信号へと変換するイメージセンサと、
前記イメージセンサを実装するセンサ基板と、
を有することを特徴とするイメージセンサユニット。
【請求項１３】
請求項１２に記載のイメージセンサユニットと、
前記イメージセンサユニットと前記被照明体とを相対的に移送させる移送部と、
を有することを特徴とする画像読取装置。
【請求項１４】
請求項１２に記載のイメージセンサユニットと、
前記被照明体としての紙葉類を移送させる移送部と、
前記紙葉類を識別する基準となる基準データを記憶する記憶部と、
前記イメージセンサユニットに読み取られた画像情報と、前記記憶部に記憶されている前記基準データとを比較して前記紙葉類を識別する比較部と、
を有することを特徴とする紙葉類識別装置。
【発明の詳細な説明】
【技術分野】
【０００１】
本発明は、照明装置、イメージセンサユニット、画像読取装置および紙葉類識別装置に関する。
【背景技術】
【０００２】
一般に画像を読み取る場合にはイメージセンサユニットが用いられている。特許文献１には、複数の導光部の長手方向の各入射面に、基板に実装した各光源を配置した密着型イメージセンサが開示されている。
【先行技術文献】
【特許文献】
【０００３】
【特許文献１】特開２０１１−１６６２１１号公報
【発明の概要】
【発明が解決しようとする課題】
【０００４】
上述した特許文献１の密着型イメージセンサは、導光部が熱の影響で伸縮した場合に導光部の入射面と光源との間の距離がそれぞれ変更されてしまい、導光部から原稿に向かう光量が増減してしまうという問題がある。このような問題を解決するために、複数の導光部と、光源を実装した基板とを結合させることが考えられる。しかしながら、寸法精度や熱源の位置によって伸縮したときに複数の導光部の長さがそれぞれ異なる場合、光源を実装した基板が傾斜してしまう虞がある。光源を実装した基板が傾斜すると、光源も傾斜してしまい光源から入射面を介して導光部に入射される光量が低下してしまうという問題がある。
【０００５】
本発明は、上述したような問題点に鑑みてなされたものであり、複数の導光部が異なる長さに伸縮した場合であっても光源から導光部に入射される光量が低下しないようにすることを目的とする。
【課題を解決するための手段】
【０００６】
本発明の照明装置は、第１の光源と、第２の光源と、前記第１の光源を実装する第１の回路基板と、前記第２の光源を実装する第２の回路基板と、長手方向の一方側に前記第１の回路基板が配置され、長手方向の他方側に前記第２の回路基板が配置され、前記第１の光源および前記第２の光源からの光を被照明体に導く導光ユニットと、を有する照明装置であって、前記導光ユニットは、並列して配置される、第１の導光部と、第２の導光部と、を有し、前記第１の導光部は、長手方向の一方側の入射面に前記第１の光源が対面して配置され、前記第１の回路基板を結合すると共に前記第２の回路基板を前記第１の導光部の長手方向に沿ってスライド可能に接続し、前記第２の導光部は、長手方向の他方側の入射面に前記第２の光源が対面して配置され、前記第１の回路基板および前記第２の回路基板のうち一方を結合すると共に他方を前記第２の導光部の長手方向に沿ってスライド可能に接続することを特徴とする。
本発明のイメージセンサユニットは、上述した照明装置と、前記被照明体からの光を電気信号へと変換するイメージセンサと、前記イメージセンサを実装するセンサ基板と、を有することを特徴とする。
本発明の画像読取装置は、上述したイメージセンサユニットと、前記イメージセンサユニットと前記被照明体とを相対的に移送させる移送部と、を有することを特徴とする。
本発明の紙葉類識別装置は、上述したイメージセンサユニットと、前記被照明体としての紙葉類を移送させる移送部と、前記紙葉類を識別する基準となる基準データを記憶する記憶部と、前記イメージセンサユニットに読み取られた画像情報と、前記記憶部に記憶されている前記基準データとを比較して前記紙葉類を識別する比較部と、を有することを特徴とする。
【発明の効果】
【０００７】
本発明によれば、複数の導光部が異なる長さに伸縮した場合であっても光源から導光部に入射される光量が低下しないようにすることができる。
【図面の簡単な説明】
【０００８】
【図１】図１は、第１の実施形態の画像読取装置の要部構成を示す断面図である。
【図２】図２は、下側イメージセンサユニットの分解斜視図である。
【図３】図３は、下側イメージセンサユニットの分解拡大斜視図である。
【図４】図４は、反射光用導光部の長手方向における一方側の端部の周辺を示す斜視図である。
【図５Ａ】図５Ａは、第１の実施形態の一方側光源部の構成を示す斜視図である。
【図５Ｂ】図５Ｂは、第１の実施形態の他方側光源部の構成を示す斜視図である。
【図６】図６は、導光ユニットと第１の回路基板とが接続される状態を示す斜視図である。
【図７】図７は、導光ユニットと第２の回路基板とが接続される状態を示す斜視図である。
【図８】図８は、第１の実施形態に係る、導光ユニットと各回路基板とが接続される状態を示す平面図である。
【図９】図９は、第１の実施形態の変形例に係る、導光ユニットと各回路基板とが接続される状態を示す平面図である。
【図１０】図１０は、第２の実施形態の画像読取装置の要部構成を示す断面図である。
【図１１Ａ】図１１Ａは、第２の実施形態の一方側光源部の構成を示す斜視図である。
【図１１Ｂ】図１１Ｂは、第２の実施形態の他方側光源部の構成を示す斜視図である。
【図１２】図１２は、第２の実施形態に係る、導光ユニットと各回路基板とが接続される状態を示す平面図である。
【発明を実施するための形態】
【０００９】
以下、図面に基づき、本発明に係るイメージセンサユニットおよび画像読取装置の好適な実施形態について説明する。以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
（第１の実施形態）
本実施形態の画像読取装置１００は、紙幣、有価証券などの紙葉類の真贋判定を行う紙葉類識別装置として機能する。
図１は、本実施形態に係るイメージセンサユニット部１０を備えた画像読取装置１００の要部構成を示している。ここで先ず、これらの全体構成について概略を説明する。本実施形態では、被照明体として典型的には紙幣Ｓとする。なお、紙幣Ｓに限らず、その他の対象物に対しても本発明は適用可能である。
画像読取装置１００の所定部には、紙幣Ｓの搬送方向Ｆに、対をなして紙幣Ｓを挟みながら搬送するための移送部としての搬送ローラ１０１Ａ、１０１Ｂと搬送ローラ１０２Ａ、１０２Ｂとが所定の間隔をおいて配置される。これらの搬送ローラ１０１Ａ、１０１Ｂおよび１０２Ａ、１０２Ｂは駆動機構により回転駆動されるようになっており、紙幣Ｓは所定の搬送速度でイメージセンサユニット部１０に対して搬送方向Ｆに相対的に移送される。
【００１０】
イメージセンサユニット部１０は、搬送ローラ１０１Ａ、１０１Ｂと搬送ローラ１０２Ａ、１０２Ｂとの間に、紙幣Ｓが通過可能な搬送路を構成するように間隙を備えて配置されており、搬送される紙幣Ｓの画像を読み取る。イメージセンサユニット部１０は、紙幣Ｓの搬送路を挟んで、下側に第一のイメージセンサユニットとして下側イメージセンサユニット１０Ａと、上側に第二のイメージセンサユニットとして上側イメージセンサユニット１０Ｂとが配置されている。本実施形態では、下側イメージセンサユニット１０Ａおよび上側イメージセンサユニット１０Ｂは、図１に示す中心線Ｏｃに対して対称な同一構成である。下側イメージセンサユニット１０Ａおよび上側イメージセンサユニット１０Ｂは、それぞれ紙幣Ｓに反射式読み取り用の光（反射用光）を照射する反射光用照明部１１Ａを含む画像を読み取る画像読取部１１と、紙幣Ｓに透過式読み取り用の光（透過用光）を照射する透過光用照明部１２とを備えている。画像読取部１１（反射光用照明部１１Ａ）および透過光用照明部１２により紙幣Ｓからの反射光による画像情報の読み取りと透過光による画像情報の読み取りを実施することができる。下側イメージセンサユニット１０Ａの画像読取部１１に対して上側イメージセンサユニット１０Ｂの透過光用照明部１２が対応配置される。また下側イメージセンサユニット１０Ａの透過光用照明部１２に対して上側イメージセンサユニット１０Ｂの画像読取部１１が対応配置される。したがって、本実施形態では、下側イメージセンサユニット１０Ａおよび上側イメージセンサユニット１０Ｂにより、紙幣Ｓの表裏両面を一回の搬送で読み取ることを可能とする。
【００１１】
比較部１０３は下側イメージセンサユニット１０Ａおよび上側イメージセンサユニット１０Ｂにより読み取られた画像情報を取得する。また、比較部１０３は記憶部１０４に記憶されている基準データを読み出し、取得した画像情報と比較して、紙幣Ｓの真贋を識別する。
【００１２】
次に、下側イメージセンサユニット１０Ａおよび上側イメージセンサユニット１０Ｂの構成について説明する。下側イメージセンサユニット１０Ａおよび上側イメージセンサユニット１０Ｂは同一構成であるので、ここでは下側イメージセンサユニット１０Ａを取り上げて説明する。図２は下側イメージセンサユニット１０Ａの分解斜視図である。図３は図２に示す下側イメージセンサユニット１０Ａのうち、長手方向における一方側を拡大した斜視図である。下側イメージセンサユニット１０Ａは概して長方体に形成され、その長手方向が主走査方向となり、これに直交する副走査方向は紙幣Ｓの搬送方向Ｆとなる。
【００１３】
下側イメージセンサユニット１０Ａは、カバーガラス１３、フレーム１４、導光ユニット２０、集光体３８、センサ基板４０、イメージセンサ４５、光源部５０などを備えている。これらの構成部材のうち、導光ユニット２０および光源部５０は照明装置として機能する。また、上述した構成部材のうち、カバーガラス１３、フレーム１４、導光ユニット２０、センサ基板４０およびイメージセンサ４５は、読み取る紙幣Ｓの主走査方向の幅寸法に応じた長さに形成される。
カバーガラス１３はフレーム１４内に塵が侵入するのを防止するものである。カバーガラス１３は略平板状であって、フレーム１４を上側から覆うように、例えば両面テープなどを用いて固定される。なお、カバーガラス１３はガラスに限られず、例えばアクリルやポリカーボネートなどの透明な樹脂材料が適用できる。
【００１４】
フレーム１４は、下側イメージセンサユニット１０Ａの各構成部材を収容する収容部材である。フレーム１４は、主走査方向に長い略直方体であり、内部には各構成部材を位置決めして支持できるように形成される。図１に示すように、フレーム１４の略中央には、集光体３８を収容する集光体収容部１５が主走査方向に形成される。また、フレーム１４には集光体収容部１５を挟んだ両側に導光ユニット２０を収容する導光収容部１６が形成される。また、フレーム１４の下面には、センサ基板４０を配置するための基板収容部１７が主走査方向に亘ってフレーム１４の外側から凹状に形成される。フレーム１４には、例えばポリカーボネートなどの樹脂材料が適用できる。
【００１５】
導光ユニット２０は、長手方向の一方側の入射面および長手方向の他方側の入射面から入射された光源部５０の光を原稿Ｓに導く。本実施形態の導光ユニット２０は、第１の反射光用導光部（第１の導光部）２１ａと、第２の反射光用導光部（第２の導光部）２１ｂと、透過光用導光部３１とを有し、それぞれが並列に配置されている。
第１の反射光用導光部２１ａおよび第２の反射光用導光部２１ｂは、図１に示す集光体３８の光軸Ｚ1を中心に線対称な略同一の構成であり、ここでは第１の反射光用導光部２１ａについて説明する。
【００１６】
図３に示すように、第１の反射光用導光部２１ａは導光体２２と導光保持部材２６とを有している。導光体２２は、光源部５０からの光を反射用光として紙幣Ｓに出射する。導光体２２は、例えばアクリル系の透明な樹脂材料により形成され、主走査方向に長い棒状に形成される。導光体２２は、長手方向における一方側の端部に入射面２３ａが形成され、他方側の端部に入射面２３ｂが形成される。入射面２３ａ、２３ｂは、主走査方向に対して直交し、光源部５０からの光が入射される。
【００１７】
また、導光体２２には、紙幣Ｓと対面する面に導光体２２内に入射された光を紙幣Ｓに向かって出射させる出射面２４が形成される。また、導光体２２は、出射面２４以外の主走査方向に沿った面が入射面２３ａ、２３ｂから入射された光を反射させて導光体２２の長手方向に伝搬させる反射面として機能する。
【００１８】
導光保持部材２６は導光体２２を長手方向に亘って保持する。導光保持部材２６は、主走査方向に沿って導光体２２と略同一の長さに形成される。図１に示すように、導光保持部材２６は、集光体３８が配置される側を開口した断面略Ｃ字状に形成される。
導光保持部材２６は、導光体２２の出射面２４の一部を上側から覆うことにより、紙幣Ｓに出射させる光の方向を規制する。また、導光保持部材２６の内周面は、導光体２２に入射された光を導光体２２の出射面２４側に反射させる反射面として機能する。
【００１９】
図４は、第１の反射光用導光部２１ａおよび第２の反射光用導光部２１ｂの長手方向における一方側の端部の周辺を示す斜視図である。図４に示すように、導光保持部材２６の長手方向における一方側の端部は、上側に板状の庇部２７が一体で形成され、下側に位置合わせ部２８が一体で形成される。庇部２７は、導光体２２の入射面２３ａと、光源部５０との間から光源部５０からの光が漏れないように遮蔽する。位置合わせ部２８は、光源部５０側に向かって平行に突出する、例えば複数（２つ）の円柱状の突起２９ａである。位置合わせ部２８は、後述する第１の回路基板６０ａの被位置合わせ部６５に接続されることで、導光保持部材２６を介して導光体２２と光源部５０とが位置決めされる。
なお、導光保持部材２６の長手方向における他方側の端部も、同様に庇部２７と、位置合わせ部２８としての突起２９ｂが形成される。
【００２０】
図３に示すように、透過光用導光部３１は、導光体３２と導光保持部材３６とを有している。導光体３２は、光源部５０からの光を透過用光として紙幣Ｓに出射する。導光体３２は、例えばアクリル系の透明な樹脂材料により形成され、主走査方向に長い棒状に形成される。導光体３２は、長手方向における一方側の端部に入射面３３ａが形成され、他方側の端部に入射面３３ｂが形成される。入射面３３ａ、３３ｂは、主走査方向に対して直交し、光源部５０からの光が入射される。
【００２１】
また、導光体３２には、紙幣Ｓと対面する面に導光体３２内に入射された光を紙幣Ｓに向かって出射させる出射面３４が形成される。また、導光体３２は、出射面３４以外の主走査方向に沿った面が入射面３３ａ、３３ｂから入射された光を反射させて導光体３２内の長手方向に伝搬させる反射面として機能する。
【００２２】
導光保持部材３６は導光体３２を長手方向に亘って保持する。導光保持部材３６は、主走査方向に沿って導光体３２と略同一の長さに形成される。図１に示すように、導光保持部材３６は、上側を開口した断面略Ｃ字状に形成される。
また、第１の反射光用導光部２１ａの導光体２２、第２の反射光用導光部２１ｂの導光体２２および透過光用導光部３１の導光体３２は、フレーム１４内で副走査方向に並列して配置される。
【００２３】
集光体３８は、紙幣Ｓからの反射光および紙幣Ｓからの透過光をイメージセンサ４５上に結像する光学部材である。集光体３８は、例えば複数の正立等倍結像型の結像素子（ロッドレンズ）が主走査方向に直線状に配列されるロッドレンズアレイが適用できる。なお、集光体３８は、イメージセンサ４５上に結像できればよく、上述した構成に限定されない。集光体３８には各種マイクロレンズアレイなど、従来公知の各種集光機能を有する光学部材が適用できる。
【００２４】
センサ基板４０は、主走査方向に長い平板状に形成される。センサ基板４０の実装面４１は、上下方向に対して直交する。センサ基板４０の実装面４１上には、光源部５０を発光させたり、イメージセンサ４５を駆動させたりするための駆動回路などが実装される。また、センサ基板４０の長手方向における一方側の端部には第１の回路基板６０ａが挿入される接続部としての接続孔４２ａが形成され、他方側の端部には第２の回路基板６０ｂが挿入される接続部としての接続孔４２ｂが形成される。接続孔４２ａ、４２ｂは副走査方向に長い長孔状である。
【００２５】
イメージセンサ４５は、センサ基板４０に実装され、集光体３８の下側に配置される。イメージセンサ４５は、下側イメージセンサユニット１０Ａの読み取りの解像度に応じた複数の光電変換素子から構成されるイメージセンサＩＣ４６の所定数を実装面４１上に主走査方向に直線状に配列して実装される。イメージセンサ４５は、紙幣Ｓからの反射光および透過光が集光体３８によって結像された光を受光して電気信号に変換する。なお、イメージセンサ４５は、紙幣Ｓからの反射光および透過光を電気信号に変換できるものであればよく、上述した構成に限定されない。イメージセンサＩＣ４６には、従来公知の各種イメージセンサＩＣが適用できる。
【００２６】
光源部５０は、光を発光することで導光ユニット２０を介して紙幣Ｓに光を出射する。光源部５０は、導光ユニット２０の長手方向における一方側の端部に配置される一方側光源部５１ａと他方側の端部に配置される他方側光源部５１ｂを有している。
図５Ａは、一方側光源部５１ａの構成を示す斜視図である。一方側光源部５１ａは、第１の回路基板６０ａの同一の実装面６１に実装される複数の光源５２（５２ａ、５２ｂ、５２ｃ）を有している。光源５２には、表面に発光素子としてのＬＥＤチップ５４が実装される、いわゆるトップビュータイプの表面実装型のＬＥＤパッケージが適用できる。表面実装型のＬＥＤパッケージは汎用されているために、下側イメージセンサユニット１０Ａに適用することでコストを削減することができる。
複数の光源５２（５２ａ、５２ｂ、５２ｃ）は発光面を主走査方向に指向させた状態で、副走査方向（搬送方向Ｆ）に沿って並列して実装される。
【００２７】
一方側光源部５１ａのうち、搬送方向Ｆの上流側に実装された光源は、第１の反射光用導光部２１ａの導光体２２の入射面２３ａに対面して配置される第１の反射光用光源５２ａである。ここで、第１の反射光用光源５２ａは、第１の光源の一例に相当する。
第１の反射光用光源５２ａは、複数（例えば４つ）のＬＥＤチップ５４ｒ、５４ｇ、５４ｂ、５４ｉｒが透明樹脂によって封止された状態で配置されている。ＬＥＤチップ５４ｒ、５４ｇ、５４ｂは可視光として、それぞれ赤、緑、青（以下、ＲＧＢともいう）の発光波長を発光する。また、ＬＥＤチップ５４ｉｒは赤外光（以下、ＩＲともいう）の発光波長を発光する。なお、赤外光などの不可視光の発光波長を発光させるのは、不可視インクによって印刷された紙幣Ｓの画像を読み取るためである。
【００２８】
また、一方側光源部５１ａのうち、中央に実装された光源は、第２の反射光用導光部２１ｂの導光体２２の入射面２３ａに対面して配置される第２の反射光用光源５２ｂである。ここで、第２の反射光用光源５２ｂは、第４の光源の一例に相当する。
第２の反射光用光源５２ｂは、ＬＥＤチップ５４ｕｖが透明樹脂によって封止された状態で配置されている。ＬＥＤチップ５４ｕｖは、紫外光（以下、ＵＶともいう）の発光波長を発光する。
また、一方側光源部５１ａのうち、搬送方向Ｆの下流側に実装された光源は、透過光用導光部３１の導光体３２の入射面３３ａに対面して配置される透過光用光源５２ｃである。透過光用光源５２ｃは、ＬＥＤチップ５４ｕｖが透明樹脂によって封止された状態で配置されている。
【００２９】
第１の回路基板６０ａは、平板状に形成され、上側が複数の光源５２が実装される実装部６２であり、下側が上述したセンサ基板４０の接続孔４２ａに接続される被接続部６３である。実装部６２の実装面６１には、予め複数の光源５２を所定の位置に半田付けなどによって実装される。被接続部６３には、センサ基板４０と電気的に接続するための複数（例えば８つ）の外部接続用パッド６４が搬送方向Ｆに所定の間隔で形成される。なお、被接続部６３には図示しない回路パターンが形成され、各光源５２と外部接続用パッド６４とを電気的に接続している。また、被接続部６３には、被位置合わせ部６５が形成される。被位置合わせ部６５は、導光保持部材２６の突起２９ａが挿入される挿入孔６６ａ、６６ｂと切欠き部６６ｃとを有している。
【００３０】
一方、図５Ｂは、他方側光源部５１ｂの構成を示す斜視図である。他方側光源部５１ｂは、第２の回路基板６０ｂの同一の実装面６１に実装される複数の光源５３（５３ａ、５３ｂ、５３ｃ）を有している。他方側光源部５１ｂは、一方側光源部５１ａと同様に、複数の光源５３（５３ａ、５３ｂ、５３ｃ）が発光面を主走査方向に指向させた状態で、副走査方向（搬送方向Ｆ）に沿って並列して実装される。
【００３１】
他方側光源部５１ｂのうち、搬送方向Ｆの上流側に実装された光源は、第１の反射光用導光部２１ａの導光体２２の入射面２３ｂに対面して配置される第１の反射光用光源５３ａである。ここで、第１の反射光用光源５３ａは、第３の光源の一例に相当する。
第１の反射光用光源５３ａは、ＬＥＤチップ５４ｕｖが透明樹脂によって封止された状態で配置されている。
また、他方側光源部５１ｂのうち、中央に実装された光源は、第２の反射光用導光部２１ｂの導光体２２の入射面２３ｂに対面して配置される第２の反射光用光源５３ｂである。ここで、第２の反射光用光源５３ｂは、第２の光源の一例に相当する。
第２の反射光用光源５３ｂは、複数（例えば４つ）のＬＥＤチップ５４ｒ、５４ｇ、５４ｂ、５４ｉｒが透明樹脂によって封止された状態で配置されている。
また、他方側光源部５１ｂのうち、搬送方向Ｆの下流側に実装された光源は、透過光用導光部３１の導光体３２の入射面３３ｂに対面して配置される透過光用光源５３ｃである。透過光用光源５３ｃは、複数（例えば４つ）のＬＥＤチップ５４ｒ、５４ｇ、５４ｂ、５４ｉｒが透明樹脂によって封止された状態で配置されている。
【００３２】
第２の回路基板６０ｂは、平板状に形成され、上側が複数の光源５３が実装される実装部６２であり、下側が上述したセンサ基板４０の接続孔４２ｂに接続される被接続部６３である。第２の回路基板６０ｂの外形は、第１の回路基板６０ａの外形に対して鏡面対称である。すなわち、第２の回路基板６０ｂの外形と第１の回路基板６０ａとは、図５Ａに示す第１の回路基板６０ａの中心線Ｃｖに対して線対称な形状であり、同一の構成は同一符号を付して、その説明を省略する。
【００３３】
したがって、第１の反射光用導光部２１ａの長手方向における両端部に配置される、第１の反射光用光源５２ａおよび第１の反射光用光源５３ａによって、第１の反射光用導光部２１ａには入射面２３ａ、２３ｂを介して赤、緑、青、赤外光および紫外光が入射される。
同様に、第２の反射光用導光部２１ｂの長手方向における両端部に配置される、第２の反射光用光源５２ｂおよび第２の反射光用光源５３ｂによって、第２の反射光用導光部２１ｂには入射面２３ａ、２３ｂを介して赤、緑、青、赤外光および紫外光が入射される。
同様に、透過光用導光部３１の長手方向における両端部に配置される、透過光用光源５２ｃおよび透過光用光源５３ｃによって、透過光用導光部３１には入射面３３ａ、３３ｂを介して赤、緑、青、赤外光および紫外光が入射される。
【００３４】
次に、上述したように構成される画像読取部１１の基本動作について説明する。画像読取部１１は搬送ローラ１０１Ａ、１０１Ｂおよび１０２Ａ、１０２Ｂにより所定の搬送速度で搬送方向Ｆに搬送される紙幣Ｓに対し、第１の反射光用光源５２ａ、５３ａおよび第２の反射光用光源５２ｂ、５３ｂのＬＥＤチップ５４ｒ、５４ｇ、５４ｂ、５４ｉｒ、５４ｕｖをそれぞれ順次、点灯駆動させる。第１の反射光用光源５２ａ、５３ａおよび第２の反射光用光源５２ｂ、５３ｂから発光された光はそれぞれの入射面２３ａ、２３ｂから第１の反射光用導光部２１ａおよび第２の反射光用導光部２１ｂの各導光体２２内に入射する。入射した光は第１の反射光用導光部２１ａおよび第２の反射光用導光部２１ｂの各導光体２２の出射面２４から、図１において代表的に示される矢印Ｌ1のように紙幣Ｓの読取位置Ｏ1を指向して反射用光として出射される。反射用光は集光体３８を挟んだ２方向から紙幣Ｓの一方の面（下面）に対して、主走査方向に亘ってライン状に均一に照射される。
反射用光は紙幣Ｓによって反射されることで反射光として、集光体３８を介してイメージセンサ４５上に結像される。この結像された反射光は、イメージセンサ４５により電気信号に変換された後、図示しない信号処理部において処理される。
【００３５】
このようにしてＲＧＢ、ＩＲ、ＵＶ全ての反射光を１走査ライン分読み取ることで、紙幣Ｓの主走査方向における１走査ラインの読取動作を完了する。１走査ラインの読取動作終了後、紙幣Ｓの副走査方向への移動に伴い、上述と同様に次の１走査ライン分の読取動作が行われる。このように紙幣Ｓを搬送方向Ｆに搬送しながら１走査ライン分ずつ読取動作を繰り返すことで、紙幣Ｓの全面が順次走査されて反射光による画像情報の読み取りが実施される。
なお、上側イメージセンサユニット１０Ｂの画像読取部１１についても他方の面（上面）に対して同様に実施される。
【００３６】
次に、上述したように構成される透過光用照明部１２の動作について説明する。透過光用照明部１２は、搬送ローラ１０１Ａ、１０１Ｂおよび１０２Ａ、１０２Ｂにより所定の搬送速度で搬送方向Ｆに搬送される紙幣Ｓに対し、透過光用光源５２ｃ、５３ｃのＬＥＤチップ５４ｒ、５４ｇ、５４ｂ、５４ｉｒ、５４ｕｖを順次、点灯駆動させる。透過光用光源５２ｃ、５３ｃから発光された光はそれぞれの入射面３３ａ、３３ｂから透過光用導光部３１内に入射する。入射した光は透過光用導光部３１の出射面３４から、図１において代表される矢印Ｌ2のように紙幣Ｓの読取位置Ｏ2を指向して透過用光として出射される。透過用光は紙幣Ｓの一方の面（下面）に対して、主走査方向に亘ってライン状に均一に照射される。
透過用光は紙幣Ｓを透過することで透過光として、上側イメージセンサユニット１０Ｂの集光体３８を介してイメージセンサ４５上に結像される。この結像された透過光は、上側イメージセンサユニット１０Ｂのイメージセンサ４５より電気信号に変換された後、図示しない信号処理部において処理される。
【００３７】
このようにしてＲＧＢ、ＩＲ、ＵＶ全ての透過光を１走査ライン分読み取ることで、紙幣Ｓの主走査方向における１走査ラインの読取動作を完了する。１走査ラインの読取動作終了後、紙幣Ｓの副走査方向への移動に伴い、上述と同様に次の１走査ライン分の読取動作が行われる。このように紙幣Ｓを搬送方向Ｆに搬送しながら１走査ライン分ずつ読取動作を繰り返すことで、紙幣Ｓの全面が順次走査されて透過光による画像情報の読み取りが実施される。
なお、上側イメージセンサユニット１０Ｂの透過光用照明部１２についても他方の面（上面）に対して同様に実施される。
【００３８】
次に、上述したように構成されるイメージセンサユニット部１０の組み立て方法について説明する。下側イメージセンサユニット１０Ａおよび上側イメージセンサユニット１０Ｂは略同一の構成であり、ここでは下側イメージセンサユニット１０Ａについて説明する。
ここで、本実施形態では、寸法精度や熱源の位置によって、第１の反射光用導光部２１ａおよび第２の反射光用導光部２１ｂが異なる長さに伸縮した場合でも、第１の回路基板６０ａおよび第２の回路基板６０ｂが傾斜しないような組み立て方法を採用している。
まず、下側イメージセンサユニット１０Ａを構成する構成部材を用意する。このとき、第１の回路基板６０ａおよび第２の回路基板６０ｂには、予め図５Ａおよび図５Ｂに示すように複数の光源５２、５３を所定の位置に実装する。また、センサ基板４０には、予めイメージセンサ４５、駆動回路などを所定の位置に実装する。
【００３９】
次に、導光体２２を導光保持部材２６に保持させて、第１の反射光用導光部２１ａおよび第２の反射光用導光部２１ｂを構成する。同様に、導光体３２を導光保持部材３６に保持させて、透過光用導光部３１を構成する。
次に、図４に示すように、第１の反射光用導光部２１ａと第２の反射光用導光部２１ｂとを互いに対面させた状態で維持する。この状態から、各導光保持部材２６の長手方向における一方側に形成された位置合わせ部２８と、第１の回路基板６０ａの被位置合わせ部６５とを接続させることで位置決めする。具体的には、各位置合わせ部２８の突起２９ａを挿入孔６６ａ、６６ｂ、切欠き部６６ｃに挿入する。なお、挿入孔６６ｂには、２つの突起２９ａが挿入される。
【００４０】
したがって、第１の反射光用光源５２ａが第１の反射光用導光部２１ａの導光体２２の入射面２３ａに精度よく対面し、第２の反射光用光源５２ｂが第２の反射光用導光部２１ｂの導光体２２の入射面２３ａに精度よく対面する。
【００４１】
ここで、本実施形態では、第１の回路基板６０ａは、第１の反射光用導光部２１ａに対して結合され、第２の反射光用導光部２１ｂに対して主走査方向に沿ってスライド可能に接続される。
図６は、導光ユニット２０と第１の回路基板６０ａとが接続される状態を示す斜視図である。ここでは、第１の反射光用導光部２１ａの一方側の各突起２９ａは、それぞれ挿入孔６６ｂおよび切欠き部６６ｃに挿入された後に先端をかしめることで、第１の反射光用導光部２１ａと第１の回路基板６０ａとを結合する。かしめには突起２９ａの先端を熱で溶融させる熱かしめを用いることができる。第１の反射光用導光部２１ａの一方側の各突起２９ａは、第１の回路基板６０ａと結合される結合突起の一例に相当する。
一方、第２の反射光用導光部２１ｂの一方側の各突起２９ａは、それぞれ挿入孔６６ａおよび挿入孔６６ｂに挿入したままにする。したがって、第１の回路基板６０ａは、第２の反射光用導光部２１ｂの長手方向に沿ってスライド可能に接続される。第２の反射光用導光部２１ｂの一方側の突起２９ａは、第１の回路基板６０ａを主走査方向にスライド可能に案内する案内突起の一例に相当する。
【００４２】
同様に、各導光保持部材２６の長手方向における他方側に形成された位置合わせ部２８と、第２の回路基板６０ｂの被位置合わせ部６５とを接続させることで位置決めする。
したがって、第１の反射光用光源５３ａが第１の反射光用導光部２１ａの入射面２３ｂに精度よく対面し、第２の反射光用光源５３ｂが第２の反射光用導光部２１ｂの入射面２３ｂに精度よく対面する。
【００４３】
本実施形態では、第２の回路基板６０ｂは、第１の反射光用導光部２１ａに対して主走査方向に沿ってスライド可能に接続され、第２の反射光用導光部２１ｂに対して結合される。
図７は、導光ユニット２０と第２の回路基板６０ｂとを接続した状態を示す斜視図である。ここでは、第１の反射光用導光部２１ａの他方側の各突起２９ｂは、それぞれ挿入孔６６ｂおよび切欠き部６６ｃに挿入したままにする。したがって、第２の回路基板６０ｂは、第１の反射光用導光部２１ａの長手方向に沿ってスライド可能に接続される。第１の反射光用導光部２１ａの他方側の突起２９ｂは、第２の回路基板６０ｂを主走査方向にスライド可能に案内する案内突起の一例に相当する。
一方、第２の反射光用導光部２１ｂの他方側の各突起２９ｂは、それぞれ挿入孔６６ａおよび挿入孔６６ｂに挿入された後に先端をかしめることで、第２の反射光用導光部２１ｂと第２の回路基板６０ｂとを結合する。かしめには突起２９ｂの先端を熱で溶融させる熱かしめを用いることができる。第２の反射光用導光部２１ｂの他方側の各突起２９ｂは、第２の回路基板６０ｂと結合される結合突起の一例に相当する。
【００４４】
図８は、導光ユニット２０と、第１の回路基板６０ａおよび第２の回路基板６０ｂとを接続した状態を上側から見た平面図である。
図８に示すように、第１の反射光用導光部２１ａは、一方側が第１の回路基板６０ａにかしめられることで結合され、他方側が第２の回路基板６０ｂに対してかしめられていないことから相対的にスライド可能である。また、第２の反射光用導光部２１ｂは、一方側が第１の回路基板６０ａに対してかしめられていないことから相対的にスライド可能であり、他方側が第２の回路基板６０ｂに対してかしめられることで結合される。
【００４５】
次に、集光体３８をフレーム１４の上側から集光体収容部１５に収容する。更に、第１の回路基板６０ａおよび第２の回路基板６０ｂが接続された、第１の反射光用導光部２１ａおよび第２の反射光用導光部２１ｂをフレーム１４の上側から導光収容部１６に収容する。同様に、透過光用導光部３１をフレーム１４の上側から導光収容部１６に収容する。その後、カバーガラス１３をフレーム１４の上側から覆うように、フレーム１４の上面に固定する。
【００４６】
次に、カバーガラス１３が下面になるようにフレーム１４を上下反転させた後、上下反転させたセンサ基板４０を基板収容部１７に収容する。このとき、センサ基板４０の長手方向における一方側に形成された接続孔４２ａにフレーム１４から突出されている第１の回路基板６０ａの被接続部６３を挿入する。また、センサ基板４０の長手方向における他方側に形成された接続孔４２ｂにフレーム１４から突出されている第２の回路基板６０ｂの被接続部６３を挿入する。したがって、第１の回路基板６０ａおよび第２の回路基板６０ｂがセンサ基板４０の長手方向の端部に接続される。
【００４７】
その後、接続孔４２ａ、４２ｂからセンサ基板４０の下面から露出された第１の回路基板６０ａ、第２の回路基板６０ｂの外部接続用パッド６４を、センサ基板４０にそれぞれ半田付けする。次に、基板収容部１７に収容されたセンサ基板４０を、例えば熱かしめにより基板収容部１７内に固定することで、下側イメージセンサユニット１０Ａが製造される。
【００４８】
このように、本実施形態の第１の反射光用導光部２１ａは、長手方向の一方側の入射面２３ａに第１の反射光用光源５２ａが対面して配置され、第１の回路基板６０ａを結合すると共に第２の回路基板６０ｂを第１の反射光用導光部２１ａの長手方向に沿ってスライド可能に接続する。一方、第２の反射光用導光部２１ｂは、長手方向の他方側の入射面２３ｂに第２の反射光用光源５３ｂが対面して配置され、第２の回路基板６０ｂを結合すると共に第１の回路基板６０ａを第１の反射光用導光部２１ｂの長手方向に沿ってスライド可能に接続する。
【００４９】
ここで、熱源からの位置により、例えば第１の反射光用導光部２１ａが第２の反射光用導光部２１ｂよりも伸長した場合を想定する。仮に、第２の反射光用導光部２１ｂが第１の回路基板６０ａと第２の回路基板６０ｂとの両方に結合されていると、第１の回路基板６０ａおよび第２の回路基板６０ｂは第２の反射光用導光部２１ｂの伸縮に追随して中心に向かって引っ張られ副走査方向に対して傾斜してしまう。本実施形態では、第１の回路基板６０ａが第２の反射光用導光部２１ｂに対して追随せず、第２の反射光用導光部２１ｂと第１の回路基板６０ａとが伸縮方向に相対的にスライドする。したがって、第１の回路基板６０ａおよび第２の回路基板６０ｂが中心に向かって引っ張られることがないため、第１の回路基板６０ａおよび第２の回路基板６０ｂの傾斜を防止することができる。したがって、第１の回路基板６０ａおよび第２の回路基板６０ｂに実装された各光源５２、５３の傾斜も防止することができるので、各光源５２、５３から第１の反射光用導光部２１ａおよび第２の反射光用導光部２１ｂに入射される光量が低下することを防止することができる。
また、ここでは、第１の反射光用導光部２１ａが第２の反射光用導光部２１ｂよりも伸長した場合を想定したが、第２の反射光用導光部２１ｂが第１の反射光用導光部２１ａよりも伸長した場合でも各光源５２、５３から入射される光量が低下することを防止することができる。
【００５０】
なお、上述した実施形態に限られず、第１の反射光用導光部２１ａまたは第２の反射光用導光部２１ｂは一方側で第１の回路基板６０ａに結合されている場合、他方側で第２の回路基板６０ｂとスライド可能に接続されていればよい。あるいは、第１の反射光用導光部２１ａまたは第２の反射光用導光部２１ｂは一方側で第１の回路基板６０ａにスライド可能に接続されている場合、他方側で第２の回路基板６０ｂに結合されていればよい。
【００５１】
ここで、本実施形態の変形例について図９を参照して説明する。
図９は、導光ユニット２０と、第１の回路基板６０ａおよび第２の回路基板６０ｂとを接続した状態を上側から見た平面図である。図８と異なり、第２の反射光用導光部２１ａは、一方側が第１の回路基板６０ａにかしめられることで結合され、他方側が第２の回路基板６０ｂに対してかしめられていないことからスライド可能である。
すなわち、第１の回路基板６０ａは第１の反射光用導光部２１ａおよび第２の反射光用導光部２１ｂの何れにも結合され、第２の回路基板６０ｂは第１の反射光用導光部２１ａおよび第２の反射光用導光部２１ｂの何れにもスライド可能である。
このように、各反射光用導光部において、第１の回路基板６０ａおよび第２の回路基板６０ｂの何れか一方に結合され、他方にスライド可能であればよい。
【００５２】
（第２の実施形態）
第２の実施形態では、第１の回路基板８２ａおよび第２の回路基板８２ｂが単数の光源を実装すると共に、透過光用導光部３１を省略する場合について説明する。なお、第１の実施形態と同様の構成は同一符号を付して、その説明を省略する。
図１０は、第２の実施形態のイメージセンサユニット８０を示す断面図である。ここでは、透過光を読み取る必要がないので、紙幣Ｓの上側には上側イメージセンサユニットが配置されない。図１０に示すようにイメージセンサユニット８０は、第１の実施形態の透過光用導光部３１を省略した構成である。すなわち、イメージセンサユニット８０は、第１の反射光用導光部２１ａと、第２の反射光用導光部２１ｂとの２つの導光部を有している。
【００５３】
図１１Ａは、第１の反射光用導光部２１ａおよび第２の反射光用導光部２１ｂの長手方向における一方側の端部に配置され、第１の回路基板８２ａに実装される一方側光源部８１ａを示す斜視図である。図１１Ａに示すように、第１の回路基板８２ａには、実装面６１に、光源８３のみが実装される。光源８３は第１の反射光用導光部２１ａの入射面２３ａに対面する。
【００５４】
図１１Ｂは、第１の反射光用導光部２１ａおよび第２の反射光用導光部２１ｂの長手方向における他方側の端部に配置され、第２の回路基板８２ｂに実装される他方側光源部８１ｂを示す斜視図である。図１１Ｂに示すように、第２の回路基板８２ｂには、実装面６１に、光源８４のみが実装される。光源８４は第２の反射光用導光部２１ａの入射面２３ｂに対面する。
【００５５】
図１２は、導光ユニット２０と、第１の回路基板８２ａおよび第２の回路基板８２ｂとを接続した状態を上側から見た平面図である。
図１２に示すように、第１の反射光用導光部２１ａは、一方側が第１の回路基板８２ａにかしめられることで結合され、他方側が第２の回路基板８２ｂに対してかしめられていないことから相対的にスライド可能である。また、第２の反射光用導光部２１ｂは、一方側が第１の回路基板８２ａに対してかしめられていないことから相対的にスライド可能であり、他方側が第２の回路基板８２ｂに対してかしめられることで結合される。
【００５６】
したがって、本実施形態でも第１の実施形態と同様に、第１の反射光用導光部２１ａおよび第２の反射光用導光部２１ｂがそれぞれ伸縮して長さが異なった場合でも、第１の回路基板８２ａおよび第２の回路基板８２ｂが副走査方向に対して傾斜することを防止される。したがって、第１の回路基板８２ａおよび第２の回路基板８２ｂに実装された各光源８３、８４から第１の反射光用導光部２１ａおよび第２の反射光用導光部２１ｂに入射される光量が低下することを防止することができる。
【００５７】
なお、本実施形態のように、第１の回路基板８２ａに光源８３のみが実装される場合、光源８３と光源８３が対面する第１の反射光用導光部２１ａとの間に隙間が生じないように、第１の反射光用導光部２１ａと第１の回路基板８２ａとを結合することが好ましい。同様に、第２の回路基板８２ｂに光源８４のみが実装される場合、光源８４と光源８４が対面する第２の反射光用導光部２１ｂとの間に隙間が生じないように、第２の反射光用導光部２１ｂと第２の回路基板８２ｂとを結合することが好ましい。
【００５８】
以上、本発明の好ましい実施形態について説明したが、本発明はこれらの実施形態に限定されず、その要旨の範囲内で種々の変形および変更が可能である。
上述した各実施形態では、２つの導光部（第１の反射光用導光部２１ａ、第２の反射光用導光部２１ｂ）を第１の回路基板６０ａ、８２ａおよび第２の回路基板６０ｂ、８２ｂに接続する場合について説明したが、この場合に限られない。３つ以上の導光部を第１の回路基板６０ａおよび第２の回路基板６０ｂに接続してもよい。この場合、追加した導光部も、第１の回路基板６０ａおよび第２の回路基板６０ｂの何れか一方を結合し、他方をスライド可能に接続する。
【００５９】
また、第１の実施形態では、第１の反射光用導光部２１ａの長手方向における一方側にＲＧＢ、ＩＲを発光する第１の反射光用光源５２ａを配置し、他方側にＵＶを発光する第１の反射光用光源５３ａを配置した。また、第２の反射光用導光部２１ｂの長手方向における一方側にＵＶを発光する第２の反射光用光源５２ｂを配置し、他方側にＲＧＢ、ＩＲを発光する第２の反射光用光源５３ｂを配置する場合について説明した。しかしながら、仕様に応じた発光波長の光（ここでは、ＲＧＢ、ＩＲ、ＵＶ）を第１の反射光用導光部２１ａまたは第２の反射光用導光部２１ｂを介して紙幣Ｓに出射できればよく、上述した配置に限定されない。同様に、第２の実施形態でも、第１の反射光用導光部２１ａまたは第２の反射光用導光部２１ｂは、上述した光源８３、８４に限定されない。
また、ＩＲ、ＵＶを出射させる必要がない場合には、ＩＲ、ＵＶを発光させる発光素子を除外した光源や、ＩＲ、ＵＶを発光させる発光素子をＲＧＢを発光させる発光素子に替えた光源を用いることができる。
【００６０】
また、上述した第１の実施形態では、下側イメージセンサユニット１０Ａおよび上側イメージセンサユニット１０Ｂは、図１に示す中心線Ｏｃに対して対称な同一構成である場合について説明したが、この場合に限られない。すなわち、下側イメージセンサユニット１０Ａおよび上側イメージセンサユニット１０Ｂは、同一構成でなくてもよい。例えば、透過光用照明部１２は片側のみ有していてもよい。
【００６１】
また、第１の反射光用導光部２１ａおよび第２の反射光用導光部２１ｂは、導光体２２と、導光保持部材２６とを有する場合について説明したが、この場合に限られず、導光体２２のみで構成してもよい。この場合には、導光体２２自体に、位置決め部２８を形成することができる。
また、各反射光用導光部と回路基板とは熱かしめで結合する場合に限られず、接着剤で固定する場合など、他の方法で結合されていてもよい。
【符号の説明】
【００６２】
１０：イメージセンサユニット部  １０Ａ：下側イメージセンサユニット  １０Ｂ：上側イメージセンサユニット  １４：フレーム  ２１ａ：第１の反射光用導光部  ２１ｂ：第２の反射光用導光部  ２２：導光体  ２３ａ、２３ｂ：入射面  ２６：導光保持部材  ２９ａ、２９ｂ：突起  ３１：透過光用導光部  ３２：導光体  ３３ａ、３３ｂ：入射面  ３６：導光保持部材  ３８：集光体  ４０：センサ基板  ４５：イメージセンサ  ５１ａ：一方側光源部  ５１ｂ：他方側光源部  ５２ａ、５２ｂ：第１の反射用光源  ５３ａ、５３ｂ：第２の反射用光源  ５２ｃ、５３ｃ：透過光用光源  ６０ａ：第１の回路基板  ６０ｂ：第２の回路基板  ６１：実装面  ６３：被接続部  ６６ａ、６６ｂ：挿入孔  ６６ｃ：切欠き部  ８０：イメージセンサユニット  ８１ａ：一方側光源部  ８１ｂ：他方側光源部  ８２ａ：第１の回路基板  ８２ｂ：第２の回路基板  ８３：光源  ８４：光源  １０１Ａ、１０１Ｂ、１０２Ａ、１０２Ｂ：搬送ローラ（移送部）  １０３：比較部  １０４：記憶部  １００：画像読取装置（紙葉類識別装置）
【図１】
2016100633.tif 000003
【図２】
2016100633.tif 000004
【図３】
2016100633.tif 000005
【図４】
2016100633.tif 000006
【図５Ａ】
2016100633.tif 000007
【図５Ｂ】
2016100633.tif 000008
【図６】
2016100633.tif 000009
【図７】
2016100633.tif 000010
【図８】
2016100633.tif 000011
【図９】
2016100633.tif 000012
【図１０】
2016100633.tif 000013
【図１１Ａ】
2016100633.tif 000014
【図１１Ｂ】
2016100633.tif 000015
【図１２】
2016100633.tif 000016